Podtech/llm-jp-corpus-v4-ja_patent huggingface dataset:
【手続補正書】
【提出日】平成24年8月14日(2012.8.14)
【手続補正１】
【補正対象書類名】特許請求の範囲
【補正対象項目名】全文
【補正方法】変更
【補正の内容】
【特許請求の範囲】
【請求項１】
データ・アレイを備えた記録層を有する基板を備え、
前記データ・アレイは、複数のグループ内に設けられ、各グループは、複数のドットを含み、
前記ドット・グループが前記１つのデータ・アレイに沿って展開し、個々のグループの前記ドットが第１の間隔を有し、また、前記ドット・グループが第２の間隔を有し、前記第１の間隔及び前記第２の間隔が互いに異なり、
１つまたはより多くのドット・グループは、１つのデータ・アレイに沿った他のドット・グループの磁化パターンから反転された磁化パターンを有する、装置。
【請求項２】
前記装置が磁気記憶ディスクを備え、前記データ・アレイが同心状に間隔を隔てたデータ・トラックを備えた、請求項１に記載の装置。
【請求項３】
前記ドットが繰り返し上書きすることができる磁気ビットからなり、個々のグループの前記ドットが１つ又は複数の行で提供された、請求項１または２に記載の装置。
【請求項４】
前記第２の間隔が前記第１の間隔の偏差である、請求項１〜３のいずれか１項に記載の装置。
【請求項５】
前記第２の間隔が前記第１の間隔より広い、請求項１〜４のいずれか１項に記載の装置。
【請求項６】
前記書込みタイミング窓の前記１つ又は複数のドット・グループが前記１つのデータ・アレイの１つの連続セグメントを備えた、請求項１〜５のいずれか１項に記載の装置。
【請求項７】
前記書込みタイミング窓が、前記１つのデータ・アレイに関連する書込み同期化の修正を可能にするために、前記１つのデータ・アレイに沿って少なくとも１つのドット・グループだけ前又は後にシフトするようにされている、請求項１〜６のいずれか１項に記載の装置。
【請求項８】
方法であって、
既知のコード列を磁気記憶装置内の磁気記憶媒体の１つのデータ・アレイに書き込むステップであって、前記１つのデータ・アレイがその上に配置された複数のドットを有し、前記ドットが複数のグループで提供され、前記グループが前記１つのデータ・アレイに沿って展開し、個々のドット・グループの前記ドットの間隔が前記ドット・グループの間隔とは異なる、書き込むステップと、
前記既知のコード列が前記１つのデータ・アレイに書き込まれた後に、前記１つのデータ・アレイを読み取るステップと、
前記磁気記憶装置の書込み同期化を修正する必要があるかどうかを前記読み取った情報に基づいて決定するステップと、
決定がこのような修正が必要であることを示している場合、前記１つのデータ・アレイに関連する前記磁気記憶装置の書込み同期化を修正するステップであって、それによって  このような修正が、書込みタイミング窓を前記１つのデータ・アレイに沿って少なくとも１つのドット・グループだけ前又は後にシフトさせる、書込み同期化を修正するステップを含むステップとを含む、方法。
【請求項９】
前記既知のコード列を前記１つのデータ・アレイに書き込むステップが、前記既知のコード列に基づいて前記１つのデータ・アレイに沿った前記ドット・グループのうちの１つ又は複数の磁化方向を反転させるステップを含み、前記１つのデータ・アレイを読み取るステップが前記１つ又は複数のドット・グループの前記反転磁化方向を読み取るステップを含む、請求項８に記載の方法。
【請求項１０】
書込み同期化を修正する必要があるかどうかを決定するステップが、前記１つのデータ・アレイの読み取った磁化パターンと、前記１つのデータ・アレイのための期待磁化パターンとを比較するステップを含み、前記１つのデータ・アレイの前記読み取った磁化パターンが、前記１つのデータ・アレイから読み取られる前記既知のコード列に対応する、請求項８または９に記載の方法。
【請求項１１】
前記読み取った磁化パターンと期待磁化パターンとの間の差が、前記磁気記憶装置の前記書込み同期化を修正するための前記書込みタイミング窓の前記シフトに対応する、請求項８〜１０のいずれか１項に記載の方法。
【請求項１２】
方法であって、
既知のコード列を最初に書込み、さらに１回又は複数回にわたって磁気記憶装置内の磁気記憶媒体の１つのデータ・アレイに書き込むステップであって、前記１つのデータ・アレイがその上に配置された複数のドットを有し、前記ドットが前記１つのデータ・アレイに沿って一様に間隔を隔て、前記複数回にわたる書込みステップの各々が前記初期書込みとは異なる時間シフトを包含している、書き込むステップと、
前記１つのデータ・アレイへの前記既知のコード列の個々の書込みステップの後に、前記１つのデータ・アレイを読み取るステップと、
前記１つのデータ・アレイの個々の読取りステップの後に、書込み位置決め誤差を計算するステップと、
最も小さい書込み位置決め誤差を決定するステップと、
計算された最も小さい書込み位置決め誤差に関連する前記磁気記憶装置の書込み同期化を修正するステップとを含む、方法。
【請求項１３】
前記磁気記憶装置がディスク・ドライブを備え、前記磁気記憶媒体が磁気記憶ディスクを備え、前記１つのデータ・アレイに書き込む個々のステップが前記磁気記憶ディスクのデータ・トラックに書き込むステップを含む、請求項８または１２に記載の方法。
【請求項１４】
前記既知のコード列を前記１つのデータ・アレイに書き込む個々のステップが、前記既知のコード列に基づいて前記１つのデータ・アレイに沿った前記ドットのうちの１つ又は複数の磁化方向を反転させるステップを含み、前記１つのデータ・アレイを読み取る個々のステップが、前記書込みステップのうちの１つに対して、前記１つのデータ・アレイに沿った前記ドットの反転磁化方向を読み取るステップを含む、請求項１２に記載の方法。
【請求項１５】
個々の読取りステップ後に書込み位置決め誤差を計算するステップが、書込みステップ毎に前記１つのデータ・アレイの読み取った磁化パターンと、前記１つのデータ・アレイのための期待磁化パターンとを比較するステップを含み、読み取った個々の磁化パターンが、前記１つのデータ・アレイから読み取られる前記既知のコード列に対応する、請求項１２または１４に記載の方法。
【請求項１６】
前記読み取った個々の磁化パターンと期待磁化パターンとを比較するステップが前記磁気記憶装置のコントローラによって実行され、前記コントローラが前記期待磁化パターンが記憶される記憶装置を有する、請求項１０または１５に記載の方法。
【請求項１７】
前記読み取った磁化パターンと期待磁化パターンとの間の差が前記計算された書込み位置決め誤差に対応し、最も小さい誤差が前記計算された書込み位置決め誤差から選択され、且つ、前記磁気記憶装置の前記書込み同期化を修正するための前記書込みタイミングのシフトに使用される、請求項１２，１４，１５のいずれか１項に記載の方法。
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
健康管理システム内のリモート臨床家デバイスにメッセージを提供するシステムであって、
ネットワークに接続された第１の中央コンピュータと、
前記ネットワークに接続された第２のコンピュータであって、前記第１の中央コンピュータから隔てられている第２のコンピュータと、
臨床家に割り当てられ、前記ネットワークに動作可能に接続された携帯用リモートデバイスであって、ビジュアルディスプレイを含む携帯用リモートデバイスと、
前記携帯用リモートデバイスによって実行され、かつ、前記第１の中央コンピュータと前記第２のコンピュータとによって受信されるソフトウェアアプリケーション内のプログラムによって生成される要求と、
前記要求に応答して、前記第２のコンピュータによって自動的に生成され、前記ネットワークを介して前記第１の中央コンピュータに自動的に送信される応答メッセージと、前記第１の中央コンピュータによって自動的に生成され、前記ネットワークを介して前記携帯用リモートデバイスに送信される補充応答メッセージと
を含み、
前記第１の中央コンピュータによって生成された前記補充応答メッセージは、前記第２のコンピュータによって生成された前記応答メッセージと前記第１の中央コンピュータによって追加された追加データとを含み、前記追加データは、注入ポンプによる患者への薬剤の投与に関連する状態情報と、前記注入ポンプのためのプログラミング情報とを含み、
前記第１の中央コンピュータによって自動的に生成された前記応答メッセージは、前記携帯用リモートデバイスのビジュアルディスプレイ上に人間が読むことが可能なフォーマットで提供され、前記携帯用リモートデバイスは、患者のリストに前記臨床家がアクセスするように構成されており、前記患者は、前記臨床家が責任を有し、かつ、アラームまたはアラート状態を有する患者であり、各アラーム状態は、関連付けられたアイコンを有し、各アラームアイコンは、臨床家の任務に関連付けられている、システム。
【請求項２】
前記リモートデバイスは、前記第１の中央コンピュータによって生成された前記応答メッセージに応答可能なブラウザをさらに含む、請求項１に記載のシステム。
【請求項３】
前記リモートデバイスは、前記リモートデバイスによって生成された第２の要求に応答して前記第２のコンピュータによって生成された第２の応答メッセージを受信し、前記第２の応答メッセージおよび前記第２の要求は、前記第１の中央コンピュータを介してルーティングされる、請求項１に記載のシステム。
【請求項４】
前記第１の中央コンピュータによって生成された前記応答メッセージは、特定の患者に対応する複数の通知状態のリストに前記第１の中央コンピュータからアクセスするように構成されたディスプレイアイコンを含む、請求項１に記載のシステム。
【請求項５】
前記第１の中央コンピュータは、中央病院のコンピュータであり、前記第２のコンピュータは、薬局のコンピュータである、請求項１に記載のシステム。
【請求項６】
前記第２のコンピュータによって生成された前記応答メッセージは、患者情報および薬局情報を含む、請求項１に記載のシステム。
【請求項７】
各ハイパーリンクは、前記リスト上の前記患者の各々に対して要求される注意の緊急性のレベルを区別するために異なる色と関連付けられている、請求項１に記載のシステム。
【請求項８】
各ハイパーリンクは、前記リスト上の前記患者の各々に対して要求される注意の緊急性のレベルを区別するために異なる陰影付けと関連付けられている、請求項１に記載のシステム。
【請求項９】
健康管理システム内のリモート臨床家デバイスにメッセージを提供するシステムであって、
ネットワークに接続された携帯用臨床家デバイスによって実行されるコンピュータ読み取り可能な媒体上に具現されたソフトウェアアプリケーション内のプログラムによって生成された要求メッセージと、
前記要求メッセージに応答して、前記ネットワークに接続された第１のコンピュータによって自動的に生成され、前記ネットワークを介して前記携帯用臨床家デバイスに自動的に送信される第１の応答メッセージと
を含み、
前記第１の応答メッセージは、
（ｉ）前記臨床家デバイスから前記要求メッセージを受信した場合に第２のコンピュータによって自動的に生成された第２の応答メッセージと、
（ｉｉ）前記第１のコンピュータによって自動的に追加された追加情報であって、前記追加情報は、注入ポンプによる患者への薬剤の投与に関連する状態情報と、前記注入ポンプのためのプログラミング情報とを含み、前記携帯用臨床家デバイスは、患者のリストに前記臨床家がアクセスするように構成されており、前記患者は、前記臨床家が責任を有し、かつ、アラームまたはアラート状態を有する患者であり、各アラーム状態は、関連付けられたアイコンを有し、各アラームアイコンは、臨床家の任務に関連付けられている、システム。
【請求項１０】
前記情報は、前記注入ポンプによって生成されたデータパケット内に含まれる前記情報の変化に応答して修正される、請求項９に記載のシステム。
【請求項１１】
前記プログラムは、ＪＡＶＡ（登録商標）で書かれている、請求項１０に記載のシステム。
【請求項１２】
前記プログラムは、Ｃ♯で書かれている、請求項１０に記載のシステム。
【請求項１３】
前記プログラムは、ビジュアル・ベーシック・スクリプト（Ｖｉｓｕａｌ  Ｂａｓｉｃ  Ｓｃｒｉｐｔ）で書かれている、請求項１０に記載のシステム。
【請求項１４】
前記ソフトウェアアプリケーションは、ウェブブラウザである、請求項９に記載のシステム。
【請求項１５】
前記ソフトウェアアプリケーションは、特定の患者に関連付けられた複数のアクティブな注入ポンプのアラートのリストへのアクセスを提供するように構成されている、請求項９に記載のシステム。
【請求項１６】
前記第１のコンピュータは、中央病院のコンピュータであり、前記第２のコンピュータは、薬局のコンピュータである、請求項９に記載のシステム。
【請求項１７】
前記第２のコンピュータによって生成された前記応答メッセージは、患者情報および薬局情報を含む、請求項９に記載のシステム。
【請求項１８】
各ハイパーリンクは、前記リスト上の前記患者の各々に対して要求される注意の緊急性のレベルを区別するために異なる色と関連付けられている、請求項９に記載のシステム。
【請求項１９】
各ハイパーリンクは、前記リスト上の前記患者の各々に対して要求される注意の緊急性のレベルを区別するために異なる陰影付けと関連付けられている、請求項９に記載のシステム。
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
所定の情報表示領域を有するディスプレイと、
前記ディスプレイの少なくとも一部への接触操作を検出する接触センサと、
前記接触操作に応じた少なくとも一つのジェスチャを検出するジェスチャ検出手段と、
前記検出されたジェスチャに対応する所定の処理を行う処理部と、を備え、
前記ジェスチャ検出手段は、前記ディスプレイに与えられた、前記情報表示領域の縁の付近に設定された少なくとも一つの動作点から、前記ディスプレイの他の部分へ向かう前記接触操作を含むジェスチャを検出するとともに、最初の接触が前記動作点ではない基本ジェスチャを検出し、
前記処理部は、前記接触操作を含むジェスチャと前記基本ジェスチャとが同一のジェスチャであっても異なる機能を起動することを特徴する情報処理装置。
【請求項２】
前記ジェスチャ検出手段は更に、前記基本ジェスチャの検出をするとともに、前記基本ジェスチャは前記ディスプレイへの複数の連続接触から構成され、
前記ジェスチャ検出手段は前記複数の連続接触の間に前記動作点への接触を含む第２のジェスチャの開始を検出し、
前記処理部は前記第２のジェスチャの終了時の点の位置を用いて、前記基本ジェスチャに対応する機能を起動することを特徴とする請求項１記載の情報処理装置。
【請求項３】
前記ディスプレイ上の表示を制御するディスプレイコントローラを更に備え、前記ディスプレイコントローラは前記動作点と前記ディスプレイ上のターゲット間にジェスチャをトレースする視覚的フィードバックを生成することを特徴とする請求項１記載の情報処理装置。
【請求項４】
前記ジェスチャの終了後に前記ディスプレイコントローラが、前記ターゲットの位置に前記所定の操作の対象であることを表すマーカーを表示させることを特徴とする請求項３記載の情報処理装置。
【請求項５】
前記視覚的フィードバックは、前記動作点から前記ディスプレイ上のターゲットに接続するゴムバンドを模した伸縮を視覚化した表示を含むことを特徴とする請求項３記載の情報処理装置。
【請求項６】
コンピュータを、
所定の情報表示領域を有するディスプレイに情報を表示する表示手段と、
前記ディスプレイの少なくとも一部への接触操作に応じた少なくとも一つのジェスチャを検出するジェスチャ検出手段と、
前記検出されたジェスチャに対応する所定の処理を行う処理手段と、
として機能させるためのプログラムであって、
前記ジェスチャ検出手段は、前記ディスプレイに与えられた、前記情報表示領域の縁の付近に設定された少なくとも一つの動作点から、前記ディスプレイの他の部分へ向かう前記接触操作を含むジェスチャを検出するとともに、最初の接触が前記動作点ではない基本ジェスチャを検出し、
前記処理部は、前記接触操作を含むジェスチャと前記基本ジェスチャとが同一のジェスチャであっても異なる機能を起動することを特徴するプログラム。
【手続補正２】
【補正対象書類名】明細書
【補正対象項目名】発明の名称
【補正方法】変更
【補正の内容】
【発明の名称】情報処理装置およびコンピュータプログラム
【手続補正３】
【補正対象書類名】明細書
【補正対象項目名】００１４
【補正方法】変更
【補正の内容】
【００１４】
上記課題を解決するために、請求項１に記載の情報処理装置は、所定の情報表示領域を有するディスプレイと、前記ディスプレイの少なくとも一部への接触操作を検出する接触センサと、前記接触操作に応じた少なくとも一つのジェスチャを検出するジェスチャ検出手段と、前記検出されたジェスチャに対応する所定の処理を行う処理部と、を備え、前記ジェスチャ検出手段は、前記ディスプレイに与えられた、前記情報表示領域の縁の付近に設定された少なくとも一つの動作点から、前記ディスプレイの他の部分へ向かう前記接触操作を含むジェスチャを検出するとともに、最初の接触が前記動作点ではない基本ジェスチャを検出し、前記処理部は、前記接触操作を含むジェスチャと前記基本ジェスチャとが同一のジェスチャであっても異なる機能を起動することを特徴する。
【手続補正４】
【補正対象書類名】明細書
【補正対象項目名】００１５
【補正方法】変更
【補正の内容】
【００１５】
また、請求項６に記載のプログラムは、コンピュータを、所定の情報表示領域を有するディスプレイに情報を表示する表示手段と、前記ディスプレイの少なくとも一部への接触操作に応じた少なくとも一つのジェスチャを検出するジェスチャ検出手段と、前記検出されたジェスチャに対応する所定の処理を行う処理手段と、として機能させるためのプログラムであって、前記ジェスチャ検出手段は、前記ディスプレイに与えられた、前記情報表示領域の縁の付近に設定された少なくとも一つの動作点から、前記ディスプレイの他の部分へ向かう前記接触操作を含むジェスチャを検出するとともに、最初の接触が前記動作点ではない基本ジェスチャを検出し、前記処理部は、前記接触操作を含むジェスチャと前記基本ジェスチャとが同一のジェスチャであっても異なる機能を起動することを特徴する。
【手続補正５】
【補正対象書類名】明細書
【補正対象項目名】００１６
【補正方法】削除
【補正の内容】
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
発光素子と、
該発光素子とは所定の距離だけ離れた位置に配置された受光素子と、
前記発光素子から出力された光軸を、媒体を収納する収納庫内を通過するように前記受光素子側に反射させる複数の第１反射板と、
前記第１反射板からの反射光を前記受光素子へと導く第２反射板とを備え、
前記受光素子によって受光した光の強さをもとに受光レベルを認識し、その受光レベルが所定の閾値未満であるときに、媒体が前記収納庫内に存在していると判断することを特徴とする媒体検知装置。
【請求項２】
請求項１に記載の媒体検知装置において、
前記第２反射板は、平らな反射鏡であって前記第１反射板から反射する光軸の数に対応して複数設けたことを特徴とする媒体検知装置。
【請求項３】
請求項１に記載の媒体検知装置において、
前記第２反射板は、湾曲した反射鏡であって前記第１反射板から反射した光を前記受光素子に集めることを特徴とする媒体検知装置。
【請求項４】
請求項１、請求項２または請求項３に記載の媒体検知装置において、
前記第１反射板は、前記発光素子からの光を前記収納箱内に反射させる第１の反射面と、該第１の反射面に対称な向きに傾斜する第２の反射面とからなり、
前記第１反射板の後方に、２枚の鏡面をくの字状に向かい合わせて構成した第３反射板を配し、
前記発光素子からの光を前記第１反射板の第１の反射面で垂直方向に反射させると共に、前記第３反射板で反射した光を前記第２の反射面で垂直方向に反射させることを特徴とする媒体検知装置。
【請求項５】
請求項１から請求項３または請求項４に記載の媒体検知装置において、
前記第１反射板により反射した光がそれぞれ前記収納庫に収納される媒体の端部の位置に沿って並ぶように複数の前記第１反射板を配置したことを特徴とする媒体検知装置。
【請求項６】
発光素子と、
該発光素子とは所定の距離だけ離れた高さの異なる位置に配置された受光素子と、
前記発光素子から出力された光を拡散させる拡散板と、
媒体を収納する収納庫に設けられ、前記拡散板で拡散した光を前記収納庫内に通過させる複数のスリットと、
前記スリットから前記収納庫内を通過した光を前記受光素子へと導く第２反射板とを設け、
前記受光素子によって受光した光の強さをもとに受光レベルを認識し、その受光レベルが所定の閾値未満であるときに、媒体が前記収納庫内に存在していると判断することを特徴とする媒体検知装置。
【請求項７】
請求項６に記載の媒体検知装置において、
前記第２反射板を、平らな反射鏡であって前記スリットを通る光の数に応じて複数設けたことを特徴とする媒体検知装置。
【請求項８】
請求項６に記載の媒体検知装置において、
前記第２反射板は、湾曲した反射鏡であって前記第１反射板から反射した光を前記受光素子に集めることを特徴とする媒体検知装置。
【手続補正２】
【補正対象書類名】明細書
【補正対象項目名】０００５
【補正方法】変更
【補正の内容】
【０００５】
本発明は、上記課題を解決するために、発光素子と、該発光素子とは所定の距離だけ離れた位置に配置された受光素子と、前記発光素子から出力された光軸を、媒体を収納する収納庫内を通過するように前記受光素子側に反射させる複数の第１反射板と、前記第１反射板からの反射光を前記受光素子へと導く第２反射板とを備え、前記受光素子によって受光した光の強さをもとに受光レベルを認識し、その受光レベルが所定の閾値未満であるときに、媒体が前記収納庫内に存在していると判断することを特徴とする。
【手続補正書】
【提出日】平成24年6月4日(2012.6.4)
【手続補正１】
【補正対象書類名】特許請求の範囲
【補正対象項目名】請求項１
【補正方法】変更
【補正の内容】
【請求項１】
複数のジョブを予約可能な予約部と、当該予約部により予約されたジョブに応じて、画像形成処理を実行する画像形成部と、を備える画像形成装置において、
第１軸がトレイ情報又は用紙情報、第２軸が用紙の使用予定枚数を示す二次元の表上に、予約された各ジョブの予約情報を表示したジョブスケジューリング画面を表示部に表示する制御部と、
前記ジョブスケジューリング画面上で、ジョブの実行変更操作を行う操作部と、
を備え、
前記制御部は、
予約された各ジョブの設定条件に基づいて、各ジョブの使用するトレイ又は用紙を特定し、各ジョブの用紙の使用予定枚数に相当する第２軸の長さ分の前記予約情報を、特定したトレイ又は用紙に対応する第１軸上の位置に表示し、
前記操作部による実行変更操作に対応した実行変更処理を行うことを特徴とする画像形成装置。
【手続補正２】
【補正対象書類名】明細書
【補正対象項目名】０００９
【補正方法】変更
【補正の内容】
【０００９】
上記課題を解決するため、請求項１に記載の発明は、複数のジョブを予約可能な予約部と、当該予約部により予約されたジョブに応じて、画像形成処理を実行する画像形成部と、を備える画像形成装置において、
第１軸がトレイ情報又は用紙情報、第２軸が用紙の使用予定枚数を示す二次元の表上に、予約された各ジョブの予約情報を表示したジョブスケジューリング画面を表示部に表示する制御部と、
前記ジョブスケジューリング画面上で、ジョブの実行変更操作を行う操作部と、
を備え、
前記制御部は、
予約された各ジョブの設定条件に基づいて、各ジョブの使用するトレイ又は用紙を特定し、各ジョブの用紙の使用予定枚数に相当する第２軸の長さ分の前記予約情報を、特定したトレイ又は用紙に対応する第１軸上の位置に表示し、
前記操作部による実行変更操作に対応した実行変更処理を行うことを特徴とする。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
導電性基体ならびに該導電性基体上に順次形成された光導電層および表面層を有する電子写真感光体において、
該光導電層が、ケイ素原子を主成分として含有する非晶質層であり、
該表面層が、アルミニウム原子、亜鉛原子および酸素原子を、式（１）および式（２）を満たす範囲で含有する
ことを特徴とする電子写真感光体。
３．０≦｛ｙ／（ｘ＋ｙ）｝・１００≦７．０      （１）
１．０５≦ｚ／（１．５０ｘ＋ｙ）≦１．２０    （２）
（式（１）および式（２）中、ｘは表面層中に含有されるアルミニウム原子の原子％を示し、ｙは表面層中に含有される亜鉛原子の原子％を示し、ｚは表面層中に含有される酸素原子の原子％を示す。）
【請求項２】
前記電子写真感光体は、前記光導電層と前記表面層との間に中間層をさらに有し、該中間層がケイ素原子と窒素原子とを主成分として含有する非晶質層またはケイ素原子と炭素原子とを主成分として含有する非晶質層である請求項１に記載の電子写真感光体。
【請求項３】
前記電子写真感光体は、前記光導電層と表面層との間にアルミニウム原子を含有しない中間層をさらに有し、該中間層が、金属酸化物、金属窒化物および金属フッ化物からなる群より選択される少なくとも１種を含有する請求項１に記載の電子写真感光体。
【請求項４】
前記表面層が、アルミニウム原子、亜鉛原子および酸素原子を主要構成原子として含有する請求項１〜３のいずれか１項に記載の電子写真感光体。
【請求項５】
請求項１〜４のいずれか１項に記載の電子写真感光体を有する電子写真装置。
【手続補正書】
【提出日】平成24年10月4日(2012.10.4)
【手続補正１】
【補正対象書類名】特許請求の範囲
【補正対象項目名】請求項１５
【補正方法】変更
【補正の内容】
【請求項１５】
プライマー層形成後に、プライマー層の表面には、所定の構造色を発現させることでプライマー層の形成状態を管理することを特徴とする請求項７乃至請求項１４の何れか１項に記載の定着部材の製造方法。
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、絞り、第２レンズ群から構成され、前記第１レンズ群は正の屈折力の第１aレンズ群とフォーカスの際に光軸上を移動する負の屈折力の第１bレンズ群を有し、前記第１bレンズ群は少なくとも１枚の負レンズと正レンズ1bpとを有し、前記正レンズ1bpの材料の部分分散比をθgF1、アッベ数をνd1とするとき、
0.020＜θgF1−0.6438+0.001682×νd1＜0.100
なる条件を満足することを特徴とする光学系。
【請求項２】
前記正レンズ1bpの材料のアッベ数νd1は、
νd1＜23
なる条件を満足することを特徴とする請求項１に記載の光学系。
【請求項３】
前記第１aレンズ群は少なくとも１つの正レンズ1apを有し、前記正レンズ1apの材料の部分分散比をθgF2、アッベ数をνd2とするとき、
νｄ2＞70
0.020＜θgF2−0.6438+0.001682×νd2
なる条件を満足することを特徴とする請求項１又は２に記載の光学系。
【請求項４】
前記第１bレンズ群はNb(ニオブ）またはLa(ランタン）を主原料とする少なくとも１つの負レンズを含んでいることを特徴とする請求項１乃至３のいずれか１項に記載の光学系。
【請求項５】
前記第１レンズ群に含まれる負レンズのうちの最も物体側の負レンズ1nはそれに使用される硝材の圧力101.325kPa（標準気圧）における常温での質量と、それと同体積の圧力101.325kPa（標準気圧）における4℃の純水の質量との比をSGn1とするとき、
2.40＜SGn1＜4.75
なる条件を満足することを特徴とする請求項１乃至４のいずれか１項に記載の光学系。
【請求項６】
前記負レンズ1nは材料の部分分散比をθgF3、アッベ数をνd3とするとき、
θgF3−0.6438+0.001682×νd3＜0
なる条件を満足することを特徴とする請求項５に記載の光学系。
【請求項７】
前記光学系の最も物体側のレンズG1の焦点距離をｆG1、該レンズG1から該レンズG1に隣接するレンズまでの空気間隔をｄ2とするとき、
5＜fG1/d2＜20
なる条件を満足することを特徴とする請求項１乃至６のいずれか１項に記載の光学系。
【請求項８】
請求項１から７のいずれか１項に記載の光学系を備えていることを特徴とする光学機器。
【手続補正２】
【補正対象書類名】明細書
【補正対象項目名】０００９
【補正方法】変更
【補正の内容】
【０００９】
本発明の光学系は、物体側から像側へ順に、正の屈折力の第１レンズ群、絞り、第２レンズ群から構成され、前記第１レンズ群は正の屈折力の第１aレンズ群とフォーカスの際に光軸上を移動する負の屈折力の第１bレンズ群を有し、前記第１bレンズ群は少なくとも１枚の負レンズと正レンズ1bpとを有し、前記正レンズ1bpの材料の部分分散比をθgF1、アッベ数をνd1とするとき、
0.020＜θgF1−0.6438+0.001682×νd1＜0.100
なる条件を満足することを特徴としている。
【手続補正書】
【提出日】平成24年10月1日(2012.10.1)
【手続補正１】
【補正対象書類名】明細書
【補正対象項目名】００１０
【補正方法】変更
【補正の内容】
【００１０】
上記目的を達成するために、請求項１記載の画像形成装置は、シートを搬送する搬送手段と、前記搬送手段により搬送されるシートの斜行量を検知する斜行量検知手段と、シートの搬送方向に直交する方向に設けられ、独立に駆動される複数の搬送ローラ対と、前記斜行量検知手段により検知される斜行量に基づいて前記複数のローラ対の駆動速度を独立に制御することにより、シートの斜行を補正する制御手段と、シートにトナー像を形成する像形成手段と、前記像形成手段によりシートの第１面に形成されるトナー像のトナー量を決定するトナー量決定手段と、を有し、前記像形成手段により前記第１面にトナー像が形成されたシートの第２面に像形成する場合に、前記制御手段は、前記トナー量決定手段により決定されたトナー量と、前記斜行量検知手段により検知される前記第２面の像形成のために搬送されるシートの斜行量とに基づいて前記複数のローラ対の駆動速度を独立に制御することにより、前記第２面の像形成のために搬送されるシートの斜行を補正することを特徴とする。
【手続補正２】
【補正対象書類名】明細書
【補正対象項目名】００１１
【補正方法】変更
【補正の内容】
【００１１】
請求項７記載のシート搬送方法は、シートを搬送する搬送手段と、前記搬送手段により搬送されるシートの斜行量を検知する斜行量検知手段と、シートの搬送方向に直交する方向に設けられ、独立に駆動される複数の搬送ローラ対とを備え、前記斜行量検知手段により検知される斜行量に基づいて前記複数のローラ対の駆動速度を独立に制御することにより、シートの斜行を補正する画像形成装置におけるシート搬送方法において、シートの第１面にトナー像を形成する形成ステップと、前記第１面に形成されるトナー像のトナー量を決定する決定ステップと、前記第１面にトナー像が形成されたシートの第２面にトナー像を形成する場合に、前記第２面への像形成のために搬送されるシートの斜行量を検知する斜行量検知ステップと、前記決定ステップで決定されたトナー量と前記斜行量検知ステップで検知された斜行量とに基づいて前記複数のローラ対の駆動速度を独立に制御することにより、前記第２面の像形成のために搬送されるシートの斜行を補正する斜行補正ステップと、を有することを特徴とする。
【手続補正３】
【補正対象書類名】特許請求の範囲
【補正対象項目名】全文
【補正方法】変更
【補正の内容】
【特許請求の範囲】
【請求項１】
シートを搬送する搬送手段と、
前記搬送手段により搬送されるシートの斜行量を検知する斜行量検知手段と、
シートの搬送方向に直交する方向に設けられ、独立に駆動される複数の搬送ローラ対と、
前記斜行量検知手段により検知される斜行量に基づいて前記複数のローラ対の駆動速度を独立に制御することにより、シートの斜行を補正する制御手段と、
シートにトナー像を形成する像形成手段と、
前記像形成手段によりシートの第１面に形成されるトナー像のトナー量を決定するトナー量決定手段と、
を有し、
前記像形成手段により前記第１面にトナー像が形成されたシートの第２面に像形成する場合に、前記制御手段は、前記トナー量決定手段により決定されたトナー量と、前記斜行量検知手段により検知される前記第２面の像形成のために搬送されるシートの斜行量とに基づいて前記複数のローラ対の駆動速度を独立に制御することにより、前記第２面の像形成のために搬送されるシートの斜行を補正することを特徴とする画像形成装置。
【請求項２】
前記トナー量決定手段は、前記搬送手段により搬送される前記シートの前記複数のローラ対に当接する領域のトナー量をそれぞれ個別に決定することを特徴とする請求項１記載の画像形成装置。
【請求項３】
前記制御手段は、前記トナー量決定手段により決定された複数のトナー量の差分に応じて前記複数のローラ対の駆動速度を補正するための補正値を決定することを特徴とする請求項２記載の画像形成装置。
【請求項４】
前記制御手段は、前記複数のローラ対の１つの駆動速度を前記補正値分だけ増加させ、前記複数のローラ対の他の１つの駆動速度を前記補正値分だけ減少させることを特徴とする請求項３記載の画像形成装置。
【請求項５】
前記シートの表面特性を決定する表面特性決定手段を備え、
前記制御手段は、前記斜行量検知手段により検知される前記第２面の像形成のために搬送されるシートの斜行量、前記トナー量決定手段により決定される前記トナー量、及び前記表面特性決定手段により決定される表面特性に基づいて、前記複数のローラ対の駆動速度を独立に制御することを特徴とする請求項１乃至４のいずれか１項に記載の画像形成装置。
【請求項６】
前記シートの表面特性は、シートの摩擦係数であることを特徴とする請求項５記載の画像形成装置。
【請求項７】
シートを搬送する搬送手段と、前記搬送手段により搬送されるシートの斜行量を検知する斜行量検知手段と、シートの搬送方向に直交する方向に設けられ、独立に駆動される複数の搬送ローラ対とを備え、前記斜行量検知手段により検知される斜行量に基づいて前記複数のローラ対の駆動速度を独立に制御することにより、シートの斜行を補正する画像形成装置におけるシート搬送方法において、
シートの第１面にトナー像を形成する形成ステップと、
前記第１面に形成されるトナー像のトナー量を決定する決定ステップと、
前記第１面にトナー像が形成されたシートの第２面にトナー像を形成する場合に、前記第２面への像形成のために搬送されるシートの斜行量を検知する斜行量検知ステップと、
前記決定ステップで決定されたトナー量と前記斜行量検知ステップで検知された斜行量とに基づいて前記複数のローラ対の駆動速度を独立に制御することにより、前記第２面の像形成のために搬送されるシートの斜行を補正する斜行補正ステップと、
を有することを特徴とするシート搬送方法。
【手続補正書】
【提出日】平成24年10月3日(2012.10.3)
【手続補正１】
【補正対象書類名】特許請求の範囲
【補正対象項目名】全文
【補正方法】変更
【補正の内容】
【特許請求の範囲】
【請求項１】
基板と、
基板上に設置されたドライバと、
前記ドライバの出力端子に接続される複数のパッドと、
前記複数のパッドとそれぞれ接続された複数の第１のコンタクトと、
前記複数の第１のコンタクトに対して設置された複数の第２のコンタクトと、
前記複数の第１及び第２のコンタクト間をそれぞれ延伸し接続する複数のポリシリコン膜と、
少なくとも１本のゲート配線を形成する、前記ポリシリコン膜とは異なる層に形成された金属層とを有し、
前記金属層は、隣接する少なくとも１以上のトランジスタ毎に千鳥配置された複数のトランジスタを、前記複数のポリシリコン膜を横切ることにより形成し、
前記複数のトランジスタを形成する部分の前記複数のポリシリコン膜の幅は、前記コンタクトと前記トランジスタとを接続する部分の幅よりも広いこと
を特徴とする表示パネル。
【請求項２】
前記複数のトランジスタは、隣接する２以上のトランジスタからなる複数のトランジスタ列を含み、前記複数のトランジスタ列は、千鳥配置されていることを特徴とする請求項１に記載の表示パネル。
【請求項３】
前記複数のトランジスタ列は、それぞれ４以下のトランジスタを有する特徴とする請求項２に記載の表示パネル。
【請求項４】
前記複数のトランジスタ列は、前記複数の第１のコンタクト側から前記複数の第２のコンタクト側をみて、互いに重なっている部分を有することを特徴とする請求項２に記載の表示パネル。
【請求項５】
前記複数のトランジスタ列の間に配置された各ポリシリコン膜の幅は、前記複数のトランジスタを構成する部分の前記複数のポリシリコン膜の幅よりも狭いことを特徴とする請求項２に記載の表示パネル。
【請求項６】
前記金属層は、２本のゲート配線を有し、前記複数のトランジスタは、１のトランジスタ毎に千鳥配置されていることを特徴とする請求項１に記載の表示パネル。
【請求項７】
前記複数の第１及び第２のコンタクトは、前記複数のパッドの配列方向に、千鳥配置されていることを特徴とする請求項６に記載の表示パネル。
【請求項８】
前記複数の第１及び第２のコンタクトは、前記２本のゲート配線の間において、一列に並ぶコンタクト列を形成することを特徴とする請求項７に記載の表示パネル。
【請求項９】
前記表示パネルは、更に、前記ポリシリコン膜及びゲート配線とは異なる層に形成された金属配線層に複数の金属配線を有し、前記複数の金属配線は、前記複数の第１及び第２のコンタクトとそれぞれ接続され、前記金属配線の幅は、前記複数の第１及び第２のコンタクトの幅よりも狭いことを特徴とする請求項７に記載の表示パネル。
【請求項１０】
前記ゲート配線は、前記コンタクト列を形成する前記複数の第１及び第２のコンタクトに接続された前記複数の金属配線を、横切ることを特徴とする請求項８に記載の表示パネル。
【請求項１１】
前記複数のトランジスタを形成する部分の前記複数のポリシリコン膜の幅は、前記複数の第１及び第２のコンタクトの幅よりも広いことを特徴とする請求項１に記載の表示パネル。
【請求項１２】
前記ポリシリコン膜と前記金属層の間に絶縁層を有することを特徴とする請求項１に記載の表示パネル。
【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
第一基板と、
前記第一基板に対向配置され、前記第一基板に接合される第二基板と、
前記第一基板に設けられた第一ミラーと、
前記第二基板に設けられ、前記第一ミラーに対向配置された第二ミラーと、
前記第一基板に設けられる第一電極、および前記第二基板において前記第一電極に対向して設けられる第二電極を有し、これらの前記第一電極および前記第二電極の間に所定の電圧を印加することで、前記第一ミラーと前記第二ミラーとの間の寸法を変化させる静電アクチュエーターと、
前記第一基板の外周部に形成されるとともに、前記第一電極に電気的に接続される第一電極パッドと、
前記第一基板の外周部に形成されるとともに、前記第一電極とは絶縁される第二電極パッドと、
を備え、
前記第一基板および前記第二基板は、対向する面に第一の接合面と第二接合面を備え、前記第一接合面と前記第二接合面とは導電性の接合層により接合され、
前記第二電極および前記第二電極パッドは、前記接合層を介して導通される
ことを特徴とする波長可変干渉フィルター。
【請求項２】
請求項１に記載の波長可変干渉フィルターにおいて、
前記接合面は、前記第一基板および前記第二基板を厚さ方向から見た平面視において、前記第一基板および前記第二基板の外周部分に沿って設けられる外周接合領域を備え、
前記第一基板の外周接合領域には、前記第二電極パッドに接続される導電性の第一接合膜が形成され、
前記第二基板の外周接合領域には、前記第二電極に接続される導電性の第二接合膜が形成され、
前記接合層は、前記第一接合膜および前記第二接合膜を接合した第一接続接合部を備える
ことを特徴とする波長可変干渉フィルター。
【請求項３】
請求項１または請求項２に記載の波長可変干渉フィルターにおいて、
第二基板上に設けられるとともに、前記第一基板および前記第二基板を厚み方向から見た平面視において、前記第二電極の外周縁から前記第二基板の外周方向に向かって延びる導電性の第二電極引出部と、
前記第一基板上に設けられるとともに、前記平面視において、前記第二電極パッドの外周縁から前記第一基板の内方向に向かって延びる導電性の第二パッド引出部と、
を備え、
前記第一基板の前記第一接合面は、前記第二電極引出部の少なくとも一部が設けられる第一引出部接合領域を備え、
前記第二基板の前記第二接合面は、前記第二パッド引出部の少なくとも一部が設けられ、前記第一引出部接合領域に対向する第二引出部接合領域を備え、
前記接合層は、前記第一引出部接合領域の前記第二電極引出部、および前記第二引出部接合領域の前記第二パッド引出部を接合した第二接続接合部を備える
ことを特徴とする波長可変干渉フィルター。
【請求項４】
請求項１から請求項３のいずれかに記載の波長可変干渉フィルターにおいて、
前記第二基板は、前記第一基板および前記第二基板を基板厚み方向から見た平面視において、前記第一電極パッドおよび前記第二電極パッドと重なる位置に、前記第二基板の前記第一基板に対向する面側の空間と、前記第一基板とは対向しない面側の空間とを連通する連通部を備えた
ことを特徴とする波長可変干渉フィルター。
【請求項５】
請求項１から請求項４のいずれかに記載の波長可変干渉フィルターと、
前記波長可変干渉フィルターを透過した検査対象光を受光する受光手段と、
を備えることを特徴とする測色センサー。
【請求項６】
請求項５に記載の測色センサーと、
前記測色センサーの前記受光手段により受光された光に基づいて、測色処理を実施する
測色処理部と、
を具備したことを特徴とする測色モジュール。
【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
第一のミラーが設けられた第一基板と、
前記第一のミラーに対向して配置された第二のミラーが設けられた第二基板と、
前記第一のミラーと前記第二のミラーとの間の寸法を変更する可変手段と、
前記第一基板および前記第二基板のうち、少なくともいずれか一方の基板の、前記第一基板および第二基板を厚み方向から見る平面視において、前記ミラーの外周縁より内に設けられるとともに、他方の基板に向かって突出する支持突出部と、
を具備したことを特徴とする波長可変干渉フィルター。
【請求項２】
請求項１に記載の波長可変干渉フィルターにおいて、
前記第一ミラーおよび第二ミラーを厚み方向から見る平面視において、前記支持突出部が占める面積は、ミラーの全面積に対して、１／１０００００から１／１００に形成される
ことを特徴とする波長可変干渉フィルター。
【請求項３】
請求項１または請求項２に記載の波長可変干渉フィルターにおいて、
前記第一基板および前記第二基板のうち、少なくともいずれか一方の基板の、前記第一基板および第二基板を厚み方向から見る平面視において、前記ミラーの外周縁より外で、前記ミラー外周縁の少なくとも一部に沿って設けられるとともに、他方の基板に向かって突出する外周突出部を備えた
ことを特徴とする波長可変干渉フィルター。
【請求項４】
請求項１から請求項３のいずれかに記載の波長可変干渉フィルターと、
前記波長可変干渉フィルターを透過した検査対象光を受光する受光手段と、
を備えることを特徴とする測色センサー。
【請求項５】
請求項４に記載の測色センサーと、
前記測色センサーの前記受光手段により受光された光に基づいて、測色処理を実施する測色処理部と、
を具備したことを特徴とする測色モジュール。
【手続補正書】
【提出日】平成24年5月24日(2012.5.24)
【手続補正１】
【補正対象書類名】明細書
【補正対象項目名】００１８
【補正方法】変更
【補正の内容】
【００１８】
ＥＣＣ部１５は、データ記憶時に誤り訂正符号を生成し付与するエンコーダ１２と、データ読み出し時に、読み出された符号化データを復号するデコーダ１とを有する。本実施の形態のＥＣＣ部１５は、確率に基づく反復計算により軟判定復号処理される軟判定復号符号であるＬＤＰＣ符号を用いる。もちろん軟判定復号符号と硬判定復号符号とからなる連接符号を用いる、ＥＣＣ部であってもよい。
【手続補正２】
【補正対象書類名】明細書
【補正対象項目名】００２０
【補正方法】変更
【補正の内容】
【００２０】
なお、対数尤度比テーブル記憶部２０はＲＯＭ１０の一部であっても良いし、メモリカード３の起動時にＲＯＭ１０からＲＡＭ１８に転送されることによりＲＡＭ１８の一部となっていてもよいし、ＥＣＣ部１５内にあってもよい。
【手続補正３】
【補正対象書類名】明細書
【補正対象項目名】００６７
【補正方法】変更
【補正の内容】
【００６７】
また経時変化、例えば、読み出し回数の増加に伴い閾値電圧分布が変化することもある。このため、所定の読み出し回数以上の場合には第２の対数尤度比テーブル２２を優先して使用するように制御してもよい。あるいは所定の回数、例えば１０回以上連続して第２の対数尤度比テーブル２２を用いてＬＬＲ算出を行うことになった場合には、以降は第２の対数尤度比テーブル２２を優先して使用するように制御してもよい。さらに、そのとき、所定の回数、例えば１０回以上連続して第１の対数尤度比テーブル２１を用いてＬＬＲ算出を行うことになった場合には、以降は再び第１の対数尤度比テーブル２１を優先して使用するように制御してもよい。
【手続補正４】
【補正対象書類名】特許請求の範囲
【補正対象項目名】全文
【補正方法】変更
【補正の内容】
【特許請求の範囲】
【請求項１】
ホストと記憶装置とからなるメモリシステムであって、
２Ｎ（Ｎは２以上の自然数）個の閾値電圧分布に基づきＮビットの符号化データを記憶する半導体メモリセルと、
閾値電圧に対応した通常の対数尤度比データからなる第１の対数尤度比テーブルと、前記第１の対数尤度比テーブルにおいて隣り合う２つの対数尤度比の符号が反転する箇所と対応する箇所の、２つの対数尤度比の絶対値が、前記第１の対数尤度比テーブルのそれぞれの対数尤度比の絶対値と異なる対数尤度比データからなる第２の対数尤度比テーブルと、を記憶する記憶部と、
前記第１の対数尤度比テーブルまたは第２の対数尤度比テーブルと、前記閾値電圧とから算出された対数尤度比を用いて確率に基づく反復計算による復号処理をするデコーダと、を具備し、
前記第１の対数尤度比テーブルと前記閾値電圧とから算出された対数尤度比による前記復号処理がエラーの場合に、前記第２の対数尤度比テーブルと前記閾値電圧とから算出された対数尤度比による前記復号処理を行うことを特徴とするメモリシステム。
【請求項２】
前記第２の対数尤度比テーブルの前記対応する箇所の前記２つの対数尤度比の値が、いずれも「０」であることを特徴とする請求項１に記載のメモリシステム。
【請求項３】
前記第１の対数尤度比テーブルの対数尤度比の符号が反転する前記箇所の２つの対数尤度比の絶対値の差よりも、前記第２の対数尤度比テーブルの前記対応する箇所の２つの対数尤度比の絶対値の差が大きく、かつ前記対応する箇所の２つの対数尤度比のうちの閾値電圧が高電圧側の全ての対数尤度比の絶対値が、他方側の対数尤度比の絶対値よりも大きい、または、小さいことを特徴とする請求項１に記載のメモリシステム。
【請求項４】
前記第２の対数尤度比テーブルが、
前記第１の対数尤度比テーブルの対数尤度比の符号が反転する前記箇所の２つの対数尤度比の絶対値の差よりも、前記第２の対数尤度比テーブルの前記対応する箇所の２つの対数尤度比の絶対値の差が大きく、かつ前記対応する箇所の２つの対数尤度比のうちの閾値電圧が高電圧側の全ての対数尤度比の絶対値が、他方側の対数尤度比の絶対値よりも大きい第３の対数尤度比テーブルと、
前記第１の対数尤度比テーブルの対数尤度比の符号が反転する前記箇所の２つの対数尤度比の絶対値の差よりも、前記第２の対数尤度比テーブルの前記対応する箇所の２つの対数尤度比の絶対値の差が大きく、かつ前記対応する箇所の２つの対数尤度比のうちの閾値電圧が高電圧側の全ての対数尤度比の絶対値が、他方側の対数尤度比の絶対値よりも小さい第４の対数尤度比テーブルと、からなり、
前記第２の対数尤度比テーブルとして、前記第３の対数尤度比テーブルまたは第４の対数尤度比テーブルの少なくともいずれかを用いて前記復号処理を行うことを特徴とする請求項１に記載のメモリシステム。
【請求項５】
前記Ｎが２以上７以下であることを特徴とする請求項１から請求項４のいずれか１項に記載のメモリシステム。